(57)【要約】【課題】剥離や切り離し等の作業を不要とし、利用者が再利用可能な封筒である認識を容易にし、封筒の再利用を積極的に促進させ得る封筒を提供することにある。【解決手段】紙シート２は正面部４、上下フラップ８，１２、左右フラップ１６，２０からなる。右フラップには左フラップが差し込まれるべき円弧状タブ２２が形成される。左右フラップには下フラップの角部が差し込まれるべきスリット２８，３０が形成される。左右フラップそれぞれの上下部分の裏面には谷折線３４，３６，３８，４０が放射状に印刷され、縦横に山折線が印刷される。谷折線及び山折線に沿って紙シートを表面側に折り曲げることで箱体に変形され得る。上フラップと下フラップを表面側に折り返し、右フラップと左フラップの拡がりを押えることで箱体の形態を保持し得る。紙シートの裏面には、箱体として外観上一体をなすように図形又は絵柄が印刷される。【選択図】図２
0003220472.tif 000002
【実用新案登録請求の範囲】
【請求項１】
紙シートからなり、縦長矩形状の正面部と、前記正面部の上端を底辺とし、前記正面部の上方向に延出された台形状の上フラップと、前記正面部の下端を底辺とし、前記正面部の下方向に延出された台形状の下フラップと、前記正面部の右側縁を一辺とし、前記正面部の右方向に延出された略矩形状の右フラップと、前記正面部の左側縁を一辺とし、前記正面部の左方向に延出された略矩形状の左フラップとからなり、前記上フラップと前記下フラップと前記右フラップと前記左フラップとを裏面側に折り返すことにより糊付け不要にして封筒形態を保持し得る組立式封筒であって、
前記右フラップと前記左フラップとの一方にはその辺縁に向かって凸状をなすタブが切れ込みにより形成され、前記タブには前記右フラップと前記左フラップとの他方が辺縁から差し込まれ得るものであり、
前記右フラップと前記左フラップとのそれぞれの下側部分には斜めにスリットが形成され、前記スリットには前記下フラップの角部が差し込まれ得るものであり、
前記右フラップと前記左フラップそれぞれの上下部分の裏面には谷折線が放射状に印刷され、縦横に山折線が印刷され、前記谷折線及び前記山折線に沿って前記紙シートを表面側に折り曲げることで箱体に変形され得、前記上フラップと前記下フラップを表面側に折り返して、右フラップと左フラップの拡がりを押えることで前記箱体の形態を保持し得るものであり、
前記紙シートの裏面には、前記箱体として外観上一体をなすように図形又は絵柄が印刷されることを特徴とする組立式封筒。
【請求項２】
紙シートからなり、縦長矩形状の正面部と、前記正面部の上端を底辺とし、前記正面部の上方向に延出された台形状の上フラップと、前記正面部の下端を底辺とし、前記正面部の下方向に延出された台形状の下フラップと、前記正面部の右側縁を一辺とし、前記正面部の右方向に延出された略矩形状の右フラップと、前記正面部の左側縁を一辺とし、前記正面部の左方向に延出された略矩形状の左フラップとからなり、前記上フラップと前記下フラップと前記右フラップと前記左フラップとを裏面側に折り返すことにより糊付け不要にして封筒形態を保持し得る組立式封筒であって、
前記右フラップと前記左フラップとの一方にはその辺縁から離れる向きに凸状をなすタブが切れ込みにより形成され、
前記右フラップと前記左フラップとの他方には前記タブが差し込まれるべきスリットが形成され、
前記右フラップと前記左フラップそれぞれの下側部分には斜めにスリットが形成され、前記スリットには前記下フラップの角部が差し込まれ得るものであり、
前記右フラップと前記左フラップそれぞれの上下部分の裏面には谷折線が放射状に印刷され、縦横に山折線が印刷され、前記谷折線及び前記山折線に沿って前記紙シートを表面側に折り曲げることで箱体に変形され得、前記上フラップと前記下フラップを表面側に折り返して、右フラップと左フラップの拡がりを押えることで前記箱体の形態を保持し得るものであり、
前記紙シートの裏面には、前記箱体として外観上一体をなすように図形又は絵柄が印刷されることを特徴とする組立式封筒。
【請求項３】
紙シートからなり、縦長矩形状の正面部と、前記正面部の上端を底辺とし、前記正面部の上方向に延出された台形状の上フラップと、前記正面部の下端を底辺とし、前記正面部の下方向に延出された台形状の下フラップと、前記正面部の右側縁を一辺とし、前記正面部の右方向に延出された略矩形状の右フラップと、前記正面部の左側縁を一辺とし、前記正面部の左方向に延出された略矩形状の左フラップとを備え、前記上フラップと前記下フラップと前記右フラップと前記左フラップとを裏面側に折り返すことにより糊付け不要にして封筒形態を保持し得る組立式封筒であって、
前記右フラップと前記左フラップとの一方にはそれより幅の狭い矩形状タブが延出され、
前記右フラップと前記左フラップとの他方には前記矩形状タブが差し込まれるべきスリットが形成され、
前記下フラップには２本の短冊状紙片が延出され、
前記右フラップと前記左フラップそれぞれの下側部分には前記短冊状紙片が表裏交互に縫うように差し込まれるべき3本の平行な短冊状紙片差込スリットが形成され、
前記右フラップと前記左フラップそれぞれの上下部分の裏面には谷折線が放射状に印刷され、縦横に山折線が印刷され、前記谷折線及び前記山折線に沿って前記紙シートを表面側に折り曲げることで箱体に変形され得、前記上フラップと前記下フラップを表面側に折り返して、右フラップと左フラップの拡がりを押えることで前記箱体の形態を保持し得るものであり、
前記紙シートの裏面には、前記箱体として外観上一体をなすように図形又は絵柄が印刷されることを特徴とする組立式封筒。
【考案の詳細な説明】
【技術分野】
【０００１】
本考案は、組立式の封筒に関する。
【背景技術】
【０００２】
包装、収納等の当初の目的を果たした後に、他の目的で再利用することを可能とした封筒が知られている。
【０００３】
例えば、封筒として使用した後に一部を切り離し、パンフレット等を収納するファイルとして利用することを可能とした紙製の封筒が提案されている（特許文献１参照）。
【０００４】
また、ベロ部の上端から突出する係合片を有し、前記係合片を収容し得る長さの第一切開部及び第二切開部が形成され、前記係合片を前記第二切開部に差し込むことによって封筒を形成し、前記係合片を前記第一切開部に差し込むことによってスタンドを形成し得る封筒が提案されている（特許文献２参照）。
【０００５】
更に、内面にブックカバーの表紙となる絵等が印刷され、分離線に沿って分離するとブックカバーとして利用することが可能な封筒が提案されている（特許文献３参照）。
【先行技術文献】
【特許文献】
【０００６】
【特許文献１】特許第５８２３１０５号公報
【特許文献２】特許第５９６００４０号公報
【特許文献３】特許第６０３４５６８号公報
【考案の概要】
【考案が解決しようとする課題】
【０００７】
特許文献１または２に記載の封筒は包装、収納等の当初の目的を果たした後に、他の目的で再利用することが可能である。しかし、これらの封筒はその形状的な特徴から、再利用の用途がファイルまたはスタンドのみに限定され、他の用途に使用することが難しいという課題があった。
【０００８】
特許文献３に記載の封筒は内面に印刷する絵等の選択によってブックカバー以外の用途に使用し得る可能性がある。しかし、この封筒は、（１）再利用に際し封筒の封着部を剥離する必要があり、しかも封着部を綺麗に剥離するのが難しいこと、（２）封筒の封着部を剥離した後、分離線に沿って不要部を切り離す煩瑣な作業が必要であること等の理由から、封筒の再利用が面倒であるという課題があった。また、（３）利用者が封筒内面の印刷に気が付かないことも多く、その場合には封筒が再利用されないという課題もあった。
【０００９】
以上説明したように、従来の封筒は、当初の目的を果たした後に、他の目的で再利用することを企図しているものの、再利用に際して封着部の剥離、分離線に沿った切り離し等の作業を要し、封筒の再利用が面倒であり、また、利用者が封筒内面の印刷に気が付かない場合には封筒が再利用されないという点で未だ解決すべき課題を残すものであった。
【００１０】
本考案は、前記の課題を解決するためになされたものである。即ち、本考案の目的は、再利用に際し封着部の剥離や分離線に沿った切り離し等の作業を必要とせず、利用者が再利用可能な封筒であることを容易に認識することができ、封筒の再利用を積極的に促進させ得る封筒を提供することにある。
【課題を解決するための手段】
【００１１】
本考案に係る組立式封筒は、紙シートからなり、縦長矩形状の正面部と、正面部の上端を底辺とし、正面部の上方向に延出された台形状の上フラップと、正面部の下端を底辺とし、正面部の下方向に延出された台形状の下フラップと、正面部の右側縁を一辺とし、正面部の右方向に延出された略矩形状の右フラップと、正面部の左側縁を一辺とし、正面部の左方向に延出された略矩形状の左フラップとからなり、上フラップと下フラップと右フラップと左フラップとを裏面側に折り返すことにより糊付け不要にして封筒形態を保持し得る。
【００１２】
右フラップと左フラップとの一方にはその辺縁に向かって凸状をなすタブが切れ込みにより形成される。タブには右フラップと左フラップとの他方が辺縁から差し込まれ得る。右フラップと左フラップとのそれぞれの下側部分には斜めにスリットが形成される。スリットには下フラップの角部が差し込まれ得る。これらにより封筒形態を保持される。
【００１３】
右フラップと左フラップそれぞれの上下部分の裏面には谷折線が放射状に印刷され、縦横に山折線が印刷される。谷折線及び山折線に沿って紙シートを表面側に折り曲げることで箱体に変形され得る。上フラップと下フラップを表面側に折り返し、右フラップと左フラップの拡がりを押えることで箱体の形態を保持し得る。
【００１４】
紙シートの裏面には、箱体として外観上一体をなすように図形又は絵柄が印刷され、箱体としての遊興性を発揮する事ができる。
【図面の簡単な説明】
【００１５】
【図１】本考案の一の実施形態に係る組立式封筒を展開し、表面側から見た平面図。
【図２】図１に示す組立式封筒を展開し、裏面側から見た平面図。
【図３】図１に示す組立式封筒を裏側から見た図。
【図４】図１に示す組立式封筒から箱体への変形過程を示す斜視図。
【図５】図１に示す組立式封筒から変形した箱体を示す斜視図。
【図６】本考案の他の実施形態に係る組立式封筒を展開し、表面側から見た平面図。
【図７】図６に示す組立式封筒を展開し、裏面側から見た平面図。
【図８】図６に示す組立式封筒を裏側から見た図。
【図９】本考案のさらに他の実施形態に係る組立式封筒を展開し、表面側から見た平面図。
【図１０】図９に示す組立式封筒を展開し、裏面側から見た平面図。
【図１１】図９に示す組立式封筒を裏側から見た図。
【考案を実施するための形態】
【００１６】
以下、図面を参照しながら本考案の実施形態に係る組立式封筒を説明する。なお、封筒は祝儀袋、お年玉袋（ポチ袋）、状袋等の様々な用途で相手方に典型的には手渡しする紙幣や手紙等を収納する紙製等の袋として定義される。
［１］作用効果：  
本実施形態に係る組立式封筒は、紙シートの形態と、それをある手順で折り曲げることで組み立てられる封筒の形態と、紙シートを他の手順で折り曲げることで組み立てられる箱体の形態とで変化する。
【００１７】
図１ないし図３に示すように封筒１は、紙シート２からなり、縦長矩形状の正面部４と、正面部４の上端を底辺とし、正面部４から上方向に延出された台形状の上フラップ８と、正面部の下端を底辺とし、正面部４から下方向に延出された台形状の下フラップ１２と、正面部４の右側縁を一辺とし、正面部４から右方向に延出された略矩形状の右フラップ１６と、正面部４の左側縁を一辺とし、正面部４の左方向に延出された略矩形状の左フラップ２０とからなり、上フラップ８と下フラップ１２と右フラップ１６と左フラップ２０とを裏面側に折り返すことにより糊付け不要にして封筒形態を保持し得る組立式である。
【００１８】
封筒が当初の目的を果たした後、他の目的で再利用しようとする際に、封着部を剥がす必要がないので、作業上封筒を容易に再利用することができる。また紙シートの一部表面が剥離することもなく、元の紙シートの状態のままで裏面等の再利用することができる。
【００１９】
また、本考案の組立式封筒は、紙シート同士が糊付け等で封着されていなく、紙シートの差し込みにより封筒形態に組み立てられているだけなので、封筒の内容物を取り出す際に紙シートの差し込みが外れて、自ずから拡がり、紙シートに展開される。このため、利用者が裏面に印刷されている図形又は絵柄を見落とすことが少なく、再利用可能な封筒であることを直ちに認識することができ、封筒の再利用を促進することが可能となる。
【００２０】
更に、本考案の組立式封筒は、図４および図５に示す組立式封筒１のように、折り曲げのみによって紙シートを箱体に変形させることができる。即ち、再利用に際し分離線に沿った切り離し等の作業を必要とせず、封筒を容易に再利用することができる。
［２］構成：
図１は本考案の組立式封筒の一の実施形態（第１の実施形態）を模式的に示す展開図であり、表面側から見た状態を示すものである。図１に示す組立式封筒１は、お年玉袋として利用される封筒である。
【００２１】
組立式封筒１は、紙シート２からなる。「紙シート」は紙製のシート状物であればよく、薄紙のみならず厚紙で形成されているものであってもよい。
【００２２】
組立式封筒１は、正面部４、上フラップ８、下フラップ１２、右フラップ１６、左フラップ２０を備える。
【００２３】
正面部４は封筒の正面に位置する部分であり、縦長矩形状を呈する。「縦長」とは、幅方向の長さよりも縦方向（封筒開口部から封筒底部に向かう方向）の長さが長いことを意味する。正面部の表面には任意の文字や図形又は絵柄を表示してもよい。正面部４には、上端側の領域に縦書きで「おとしだま」の文字が印刷され、下端側の領域に富士山の絵が印刷されている。
【００２４】
上フラップ８は正面部４の上端６を底辺とし、正面部４の上方向に延出された台形状のフラップである。上フラップ８は正面部４の上端と接するフラップ末端を下底とし、フラップ先端を上底とする台形状に形成されている。上フラップ８は組立式封筒１の開口部を塞ぐ蓋の役割を果たす部分である。組立式封筒１の開口部を確実に塞ぐという目的から、上フラップ８は後述する下フラップ１２と比較して高さのある台形状に形成されている。
【００２５】
下フラップ１２は正面部４の下端１０を底辺とし、正面部４の下方向に延出された台形状のフラップである。下フラップ１２は正面部４の下端と接するフラップの末端を下底とし、フラップの先端を上底とする台形状に形成されている。
【００２６】
右フラップ１６は正面部４の右側縁１４を一辺とし、正面部４の右方向に延出された略矩形状のフラップである。右フラップ１６は正面部４を一定の幅だけ右方向にスライドさせたような矩形状に形成されている。換言すれば、右フラップ１６の上端は正面部４の上端６の延長線上にあり、右フラップ１６の下端は正面部４の下端１０の延長線上にある。
【００２７】
左フラップ２０は正面部４の左側縁１８を一辺とし、正面部４の左方向に延出された略矩形状のフラップである。左フラップ２０は正面部４を一定の幅だけ左方向にスライドさせたような略矩形状に形成されている。換言すれば、左フラップ２０の上端は正面部４の上端６の延長線上にあり、左フラップ２０の下端は正面部４の下端１０の延長線上にある。
【００２８】
右フラップ１６と左フラップ２０は先端から末端までの距離（正面部４から延出されている長さ）が等しいことが好ましい。組立式封筒１を封筒として使用した後、再利用する際には封筒を構成している紙シート２を折り曲げ、箱体に変形させて使用する。右フラップ１６と左フラップ２０は先端から末端までの距離を等しくすることにより、歪みのない直方体状の箱体を形成することができる。図示の例では、右フラップ１６と左フラップ２０は先端から末端までの距離を等しく構成した上で、右フラップ１６の先端に更に折返し部３２を形成した例である。紙シート２を折り曲げ、箱体に変形させる際に、折返し部３２は箱体の内側に折り返し、箱体の強度を高めるために用いられる。
【００２９】
右フラップ１６および左フラップ２０のうちの一方である第１フラップ（組立式封筒１の場合は右フラップ１６）は、上下方向中央領域にその辺縁（フラップ先端）に向かって凸状となる円弧状タブ２２がスリットにより形成されている。「上下方向中央領域」とは、右フラップまたは左フラップを上下方向に３分割した上下方向中央の領域を意味する。円弧状タブ２２には、右フラップ１６および左フラップ２０のうちの他方である第２フラップ（組立式封筒１の場合は左フラップ２０）をその辺縁から差し込み得るように構成されている。
【００３０】
右フラップ１６および左フラップ２０のうちの他方である第２フラップ（組立式封筒１の場合は左フラップ２０）は、フラップ上端が先端から中央部にかけて円弧状に切り欠かれることによって、フラップ先端側に鈎部４２が形成されている。一方、第１フラップ（右フラップ１６）は、上端側領域に第２フラップ（左フラップ２０）の鈎部４２を差し込み得る鈎部差込スリット４４が形成されている。「上端側領域」とは、右フラップまたは左フラップを上下方向に３分割した上側の領域を意味する。左フラップ２０の鈎部４２を右フラップ１６の鈎部差込スリット４４に係合させることで、左フラップ２０の先端が円弧状タブ２２に差し込まれた状態を維持することができ、封筒が容易に展開しないよう確実に固定することができる。
【００３１】
右フラップ１６の下端側領域および左フラップ２０の下端側領域には、下フラップ１２の先端角部２４，２６を差し込み得る下フラップ差込スリット２８，３０が形成されている。「下端側領域」とは、右フラップまたは左フラップを上下方向に等間隔で三分割した場合の下端側の領域を意味する。下フラップ差込スリット２８は右上がりに傾斜するように形成され、下フラップ差込スリット３０は左上がりに傾斜するように形成されている。このように傾斜をつけてスリットを形成することで、下フラップ１２の先端角部２４，２６を差し込み易くなる。
【００３２】
図２は図１に示す組立式封筒１の展開図であり、裏面側から見た状態を示すものである。図２に示すように、紙シート２の裏面側は、正面部４、右フラップ１６および左フラップ２０の各々が上下方向に３分割された上端側領域４ａ，１６ａ，２０ａ、上下方向中央領域４ｂ，１６ｂ，２０ｂおよび下端側領域４ｃ，１６ｃ，２０ｃに区画されている。右フラップ１６および左フラップ２０は正方形状の領域が上下方向に３個連なるように領域が区画されている。
【００３３】
そして、右フラップ１６の上端側領域１６ａ、右フラップ１６の下端側領域１６ｃ、左フラップ２０の上端側領域２０ａおよび左フラップ２０の下端側領域２０ｃには、正面部４の上下方向中央領域４ｂの４隅を起点とし、４５°の角度で右フラップ１６の先端側または左フラップ２０の先端側に向かう、正面部４の中心付近から放射状に拡がる４本の谷折線３４，３６，３８，４０が破線で印刷されている。谷折線３４，３６，３８，４０は正方形状の領域の対角線方向に配置されている。なお紙シート２の裏面における、谷折線３４，３６，３８，４０を含む正方形状の領域の隣接2辺には縦横に山折線が破線で印刷されている。
【００３４】
また、紙シート２の裏面側は、正面部４の上端側領域４ａ、正面部４の上下方向中央領域４ｂ、正面部４の下端側領域４ｃ、右フラップ１６の上下方向中央領域１６ｂおよび左フラップ２０の上下方向中央領域２０ｂに図形又は絵柄が印刷されている。正面部４の上端側領域４ａには電車の車体の右側面の絵、正面部４の上下方向中央領域４ｂには電車の車体の天面の絵、正面部４の下端側領域４ｃには電車の車体の左側面の絵が印刷されている。また、右フラップ１６の上下方向中央領域１６ｂには電車の車体の正面の絵、左フラップ２０の上下方向中央領域２０ｂには電車の車体の背面の絵が印刷されている。
【００３５】
組立式封筒１は、４本の谷折線３４，３６，３８，４０に沿って紙シート２を折り曲げることで、正面部４の上端側領域４ａを右側面、正面部４の上下方向中央領域４ｂを天面、正面部４の下端側領域４ｃを左側面、右フラップ１６の上下方向中央領域１６ｂを正面、左フラップ２０の上下方向中央領域２０ｂを背面とする箱体に変形させ、箱体に対応する図形又は絵柄が印刷されるように構成されている。組立式封筒１は変形後の箱体に対応する電車の車体の絵が印刷されるように構成したものである。
［３］使用方法：  
図３は、図１に示す組立式封筒１を封筒として組み立てた状態を示す使用状態図である。図１に示す組立式封筒１を封筒として組み立てる場合には以下のようにして使用する。
【００３６】
図３に示すように組立式封筒１の右フラップ１６を裏側に折り返し、次いで左フラップ２０を右フラップ１６に重ねるように折り返す。この際、右フラップ１６の円弧状タブ２２に左フラップ２０の先端を差し込み、左フラップ２０の鈎部４２を右フラップ１６の鈎部差込スリット４４に差し込む。最後に下フラップ１２を裏側に折り返し、下フラップ１２の先端角部を下フラップ差込スリット２８，３０に差し込んで固定する。これにより、組立式封筒１を封筒として組み立てることができる。
【００３７】
組立式封筒１は糊付け等で封着されておらず、紙シート２の係合のみによって組み立てられている。従って、封筒として組み立てた後も容易に展開状態に戻すことができる。
【００３８】
組立式封筒１を再利用する場合には以下のようにして使用する。図３に示すように封筒として組み立てられている組立式封筒１を、一旦、図１および図２に示すように展開されたシート状に戻す。そして、図４に示すように谷折線３４，３６，３８，４０、山折線に沿って紙シート２を折り曲げる。さらに上フラップ８と下フラップ１２を表面側に折り返して、右フラップ１６と左フラップ２０の拡がりを押えることで箱体の形態を保持する。
【００３９】
図５は、箱体を示す。図５に示すように、組立式封筒１を箱体に変形すると、その箱体に対応する電車の車体の絵が現れる。つまり、箱体として外観上一体をなす、ここでは電車として外観視認されるように、紙シート２の裏面に図形又は絵柄が印刷されている。
［４］別の実施形態：  
以下、第１の実施形態とは構成を異にする別の実施形態について説明する。第１の実施形態と構成を同じくする部分については図面に同一の符号を付して説明を省略し、第１の実施形態と構成を異にする部分のみを説明する。
（１）第２の実施形態：  
図６および図７は本考案の組立式封筒の別の実施形態（第２の実施形態）を模式的に示す展開図である。また、図８は図６に示す組立式封筒を封筒として組み立てた状態を示す使用状態図である。
【００４０】
図６および図７に示す組立式封筒１０１においては、右フラップ１６および左フラップ２０のうちの一方である第１フラップ（組立式封筒１０１の場合は左フラップ２０）は、フラップ先端側領域にフラップ末端に向かって凸となる円弧状切込線１２２が形成され、円弧状切込線１２２によって、略半円状のタブが形成されている。
【００４１】
また、組立式封筒１０１においては、右フラップ１６および左フラップ２０のうちの他方である第２フラップ（組立式封筒１０１の場合は右フラップ１６）は、フラップ先端側領域にフラップ先端と平行するタブ差込スリット１２３が形成されている。タブ差込スリット１２３に略半円状のタブが差し込まれ、両者が噛み合うことで封筒としての形状が維持される。
【００４２】
第１の実施形態と第２の実施形態との相違点は、円弧状タブの向きと役割である。図１に示す組立式封筒１において、円弧状タブ２２は右フラップ１６の先端、即ち図面右方向に向かって凸となるように形成されている。そして、円弧状タブ２２は、第２フラップ（組立式封筒１の場合は左フラップ２０）の先端を差し込み得るように構成されている。即ち、円弧状タブ２２はフラップの先端を収める「凹部材」としての役割を果たしている。
【００４３】
これに対し、図６に示す組立式封筒１０１において、円弧状切込線１２２はフラップ末端に向かって凸となるように形成されている。この円弧状切込線１２２は略半円状のタブを形成するために設けられたものである。そして、略半円状のタブは、右フラップ１６に形成されたタブ差込スリット１２３に差し込む部分である。即ち、第２の実施形態においては、「凹部材」としての役割を果たすのはタブ差込スリット１２３であり、円弧状切込線１２２は「凸部材」である略半円状タブを形成する役割を果たす。
【００４４】
図１に示す組立式封筒１のように、円弧状タブ２２にフラップ（左フラップ２０）の先端を差し込みて固定する方式では円弧状タブ２２の位置が意図せず動き、フラップの先端が円弧状タブ２２から外れてしまうこともあり得る。即ち、固定状態は緩く、不安定である。
【００４５】
これに対し、図６に示す組立式封筒１０１のように、略半円状タブとタブ差込スリット１２３を噛み合わせる方式では、略半円状タブの位置が動き難く、固定状態が強固で、タブ差込スリット１２３から略半円状タブが外れてしまうことが少ないという利点がある。
【００４６】
なお、図６に示す組立式封筒１０１においては、図１に示す組立式封筒１の鈎部４２と鈎部差込スリット４４に相当する構成はない。
（２）第３の実施形態：  
図９および図１０は本考案の組立式封筒の更に別の実施形態（第３の実施形態）を模式的に示す展開図である。また、図１１は図９に示す組立式封筒を封筒として組み立てた状態を示す使用状態図である。
【００４７】
図９および図１０に示す組立式封筒２０１においては、右フラップ１６および左フラップ２０のうちの一方である第１フラップ（組立式封筒１０１の場合は左フラップ２０）は、フラップ先端から更に延出された、フラップより若干幅の狭い矩形状タブ２２２が形成されている。
【００４８】
また、組立式封筒２０１においては、右フラップ１６および左フラップ２０のうちの他方である第２フラップ（組立式封筒２０１の場合は右フラップ１６）は、フラップ先端から更に延出されたスリット形成領域２３２にフラップ先端と平行するタブ差込スリット２２３が形成されている。タブ差込スリット２２３に矩形状タブ２２２が差し込まれ、両者が噛み合うことで封筒としての形状が維持される。
【００４９】
第２の実施形態と第３の実施形態との相違点はタブの形状である。図６に示す組立式封筒１０１においては、タブの形状が略半円状であったのに対し、図９に示す組立式封筒２０１においては、タブの形状が矩形状となっている。更に、この矩形状タブ２２２は上下方向中央領域２０ｂの全域をカバーした上で上端側領域２０ａ、下端側領域２０ｃに跨る長さに形成されている。従って、両者が関わる長さや面積が大きくなり、固定状態が強固で、タブ差込スリット２２３から矩形状タブ２２２が外れてしまう可能性を大幅に減らすことができるという利点がある。
【００５０】
また、図９および図１０に示す組立式封筒２０１においては、下フラップ１２は、フラップ先端から更に延出された、２本の短冊状紙片２２４，２２６が形成されている。短冊状紙片２２４，２２６は台形状に形成されている。
【００５１】
そして、右フラップ１６の下端側領域１６ｃおよび左フラップ２０の下端側領域２０ｃには、短冊状紙片差込スリットセット２２８，２３０が形成されている。短冊状紙片差込スリットセット２２８，２３０は平行な３本の直線状スリットからなる。これら３本の直線状スリットに下フラップ１２の短冊状紙片２２４，２２６が表裏交互に縫うように差し込まれる。それにより短冊状紙片２２４，２２６が３本の直線状スリットから脱落し難くなり、折り返された右フラップ１６と左フラップ２０とが下フラップ１２に対してより強く結合され得る。
【００５２】
このような形態は短冊状紙片差込スリット２２８，２３０の３本のスリットを縫うように短冊状紙片２２４，２２６を差し込むことができるため、単に１本のスリットに短冊状紙片を差し込むよりも強固な固定を行うことができる。また、図１１に示すように短冊状紙片２２４，２２６を下方向に折り返して短冊状紙片差込スリット２２８，２３０に差し込むことで、より強固な固定を行うことができ、封筒状態の際に意図せず短冊状紙片２２４，２２６が外れてしまう事態を有効に防止することができる。
【００５３】
なお、図９に示す組立式封筒２０１においては、図１に示す組立式封筒１の鈎部４２と鈎部差込スリット４４に相当する構成はない。
【符号の説明】
【００５４】
１，１０１，２０１…組立式封筒、２，１０２，２０２…紙シート、４…正面部、４ａ…上端側領域、４ｂ…上下方向中央領域、４ｃ…下端側領域、６…上端、８…上フラップ、１０…下端、１２…下フラップ、１４…右側縁、１６…右フラップ、１６ａ…上端側領域、１６ｂ…上下方向中央領域、１６ｃ…下端側領域、１８…左側縁、２０…左フラップ、２０ａ…上端側領域、２０ｂ…上下方向中央領域、２０ｃ…下端側領域、２２…円弧状タブ、２４…先端角部、２８…下フラップ差込スリット、３０…下フラップ差込スリット、３２…折返し部、３４，３６，３８，４０…谷折線、４２…鈎部、４４…鈎部差込スリット、２２２…矩形状タブ、２２３…タブ差込スリット、２２４，２２６…短冊状紙片、２２８，２３０…短冊状紙片差込スリット，２３２…スリット形成領域。
【図１】
0003220472.tif 000003
【図２】
0003220472.tif 000004
【図３】
0003220472.tif 000005
【図４】
0003220472.tif 000006
【図５】
0003220472.tif 000007
【図６】
0003220472.tif 000008
【図７】
0003220472.tif 000009
【図８】
0003220472.tif 000010
【図９】
0003220472.tif 000011
【図１０】
0003220472.tif 000012
【図１１】
0003220472.tif 000013